(57)【特許請求の範囲】
【請求項１】
下部が開口した上部包装箱と上部が開口した下部包装箱を備え、前記下部包装箱は一枚のほぼ四角形の段ボールシートを基材とし、その中央部にほぼ四角形の面板部を有し、前記四角形の面板部の外周に連なる４つの垂直壁およびコーナー片と、前記垂直壁の外縁に連なる４つのフラップ押え板を有しており、前記上部包装箱は、段ボールシートを基材とし、下側の縁に連なる４つのフラップを有しており、前記上部包装箱の各フラップを外側方向に水平に開いて前記下部包装箱の各垂直壁の内面に重ね、前記下部包装箱のフラップ押え板を内折りして前記上部包装箱のフラップを巻き込むとともに垂直に立て、前記コーナー片を内折りしてその端部を前記垂直壁に形成したスリットに挿入して前記上部包装箱と下部包装箱を結合したことを特徴とする包装装置。
【請求項２】
スリットは、下部包装箱における垂直壁とフラップ押え板間の折り罫線部に形成され、コーナー片の端部が上方より前記スリットに挿入されたことを特徴とする請求項１記載の包装装置。
【請求項３】
下部が開口した上部包装箱と上部が開口した下部包装箱を備え、前記下部包装箱は一枚のほぼ四角形の段ボールシートを基材とし、その中央部にほぼ四角形の面板部を有し、前記四角形の面板部の外周に連なる４つの垂直壁およびコーナー片と、前記垂直壁の外縁に連なる４つのフラップ押え板を有しており、前記上部包装箱は、段ボールシートを基材とし、下側の縁に連なる４つのフラップを有しており、前記上部包装箱の各フラップを外側方向に水平に開いて前記下部包装箱の各垂直壁の内面に重ね、前記下部包装箱のフラップ押え板を内折りして前記上部包装箱のフラップを巻き込むとともに垂直に立て、前記コーナー片を内折りし、その端部で、前記フラップを巻き込んだ垂直壁とフラップ押え板を抱き込んで前記上部包装箱と下部包装箱を結合したことを特徴とする包装装置。
【請求項４】
下部包装箱の垂直壁および上部包装箱の下部フラップは、抜き溝および罫線によって折り曲げ位置を変更してその長さ寸法を調節可能にしたことを特徴とする請求項１または２記載の包装装置。
【発明の詳細な説明】
【０００１】
【発明の属する技術分野】
本発明は、電子機器、その他を梱包する際に使用する包装容器、特に段ボールより構成される上下に分割された外装箱に関するものである。
【０００２】
【従来の技術】
近年、パソコン、ディスプレイ、プリンター等の電子機器の包装装置は、包装・開梱の際に内容物が容易に取り出せるように上下に分割した包装箱を使用している。そして、上下の包装箱の結合手段としては、プラスチック製のバンドやプラスチック製の結合部材を用いていた。
【０００３】
以下、従来の包装装置について説明する。
図７（ａ）は従来の包装装置の分解斜視図であり、図７（ｂ）は従来の包装装置の包装完了体の斜視図である。同図（ａ）に示すように電子機器等の被包装体Ｃに緩衝材Ｂ、Ｄ、Ｅを当接し、これを下部包装箱Ｆに収容し、その上から段ボールよりなる上部包装箱Ａを被せ、さらに結合部材Ｇを用いて同図（ｂ）のように上下の包装箱Ａ、Ｂを固定するかあるいは、ポリプロピレンバンドＨで結束する等の構成となっていた。
【０００４】
【発明が解決しようとする課題】
しかしながら上記従来の包装装置では、上下の包装箱以外に結合部材や締結用バンドを必要とし、部品点数が多く、こ包装コストが高いものとなる。また、電子機器等の被包装体の保管・輸送後に開梱した後では、プラスチック製の結合部材や締結用バンド等が不要となり、廃棄されて焼却または埋め立てられるので環境破壊の要因となるという問題点を有しており、さらにリサイクルの困難なプラスチック製の結合部材や締結用バンドの処理には多くの手間と費用を必要としていた。
【０００５】
本発明は、上記従来の問題点を解決するもので、プラスチック製の結合部材や締結用バンドを使用しなくて上下の包装箱を結合できる包装装置を提供することを目的とする。
【０００６】
【課題を解決するための手段】
この目的を達成するために本発明は、下部が開口した立方体形状の上部包装箱と上部が開口した立方体形状の下部包装箱を備え、この上部包装箱と下部包装箱を結合する構成であって、前記の下部包装箱が、一枚のほぼ四角形の段ボールシートを基材として形成されており、かつ、その中央部にほぼ四角形の面板部を有し、前記の四角形の面板部の外周に連なる４つの垂直壁およびコーナー片と、前記垂直壁の外縁に連なる４つのフラップ押え板を有した形状に形成されており、また、前記の上部包装箱が、段ボールシートを基材として形成されており、かつ、下側の縁に連なる４つのフラップを有し、前記の上部包装箱の各フラップを外側方向に水平に開いて前記下部包装箱の各垂直壁の内面に重ね、前記の下部包装箱のフラップ押え板を内折りして前記上部包装箱のフラップを巻き込むとともに垂直に立て、前記コーナー片を内折りしてその端部を前記垂直壁に形成したスリットに挿入することにより、前記の上部包装箱と下部包装箱を結合した包装装置とする。
【０００７】
本発明によれば、プラスチック製の結合部材を省いた構造により、部品点数が少なくなって包装費用を安価にすることができ、しかも、その結合作業も簡単にできる。また、プラスチック製の結合部材を用いないことから、リサイクル可能な包装装置とすることができ、もちろん、輸送・保管時に電子機器等の被包装体を保護し、かつ、輸送後に開梱したあとではリサイクルされて別の包装用段ボールとして使用することが可能である。
【０００８】
【発明の実施の形態】
本発明の請求項１に記載の発明は、下部が開口した上部包装箱と上部が開口した下部包装箱を備え、前記下部包装箱は一枚のほぼ四角形の段ボールシートを基材とし、その中央部にほぼ四角形の面板部を有し、前記四角形の面板部の外周に連なる４つの垂直壁およびコーナー片と、前記垂直壁の外縁に連なる４つのフラップ押え板を有しており、前記上部包装箱は、段ボールシートを基材とし、下側の縁に連なる４つのフラップを有しており、前記上部包装箱の各フラップを外側方向に水平に開いて前記下部包装箱の各垂直壁の内面に重ね、前記下部包装箱のフラップ押え板を内折りして前記上部包装箱のフラップを巻き込むとともに垂直に立て、前記コーナー片を内折りしてその端部を前記垂直壁に形成したスリットに挿入して前記上部包装箱と下部包装箱を結合した包装装置であり、部品点数が少なくなって包装費用を安価にすることができ、しかも、その結合作業も簡単にでき、また、結合作業を補助する簡単な設備を加えることにより、作業時間の短縮となり、さらに、リサイクル可能な包装装置とすることができるという作用を有する。
【０００９】
本発明の請求項２に記載の発明は、請求項１に記載の包装装置において、スリットが下部包装箱における垂直壁とフラップ押え板間の折り罫線部に形成され、コーナー片の端部が上方より前記スリットに挿入されたものであり、同じく部品点数が少なくなって包装費用を安価にすることができ、その結合作業も簡単にできるという作用を有する。
【００１０】
本発明の請求項３に記載の発明は、下部が開口した上部包装箱と上部が開口した下部包装箱を備え、前記下部包装箱は一枚のほぼ四角形の段ボールシートを基材とし、その中央部にほぼ四角形の面板部を有し、前記四角形の面板部の外周に連なる４つの垂直壁およびコーナー片と、前記垂直壁の外縁に連なる４つのフラップ押え板を有しており、前記上部包装箱は、段ボールシートを基材とし、下側の縁に連なる４つのフラップを有しており、前記上部包装箱の各フラップを外側方向に水平に開いて前記下部包装箱の各垂直壁の内面に重ね、前記下部包装箱のフラップ押え板を内折りして前記上部包装箱のフラップを巻き込むとともに垂直に立て、前記コーナー片を内折りし、その端部で、前記フラップを巻き込んだ垂直壁とフラップ押え板を抱き込んで前記上部包装箱と下部包装箱を結合した包装装置であり、部品点数が少なくなって包装費用を安価にすることができ、しかも、その結合作業も簡単にでき、さらに、リサイクル可能な包装装置とすることができるという作用を有する。
【００１１】
本発明の請求項４に記載の発明は、請求項１または２に記載の包装装置において、下部包装箱の垂直壁および上部包装箱の下部フラップは、抜き溝および罫線によって折り曲げ位置を変更してその長さ寸法を調節可能にしたものであり、被包装体の重量、大きさ等に応じた包装装置とすることができるという作用を有する。
【００１２】
以下、本発明の実施の形態について図面を参照して説明する。
（実施の形態１）
図１（ａ）は、本発明の実施の形態１の包装装置の分解斜視図であり、図１（ｂ）は本発明の包装完了体の斜視図、図２（ａ）〜（ｅ）は、前記包装装置における下部包装箱の組立て説明図である。
【００１３】
図１において、この包装装置は、段ボールシートを基材とする上部包装箱１と下部包装箱２よりなっている。前記上部包装箱１は、一般的によく使用されているＡ式の箱であり、下部が開口し、その下縁に連なる４つのフラップ１ａを有している。
【００１４】
前記下部包装箱２は上部が開口した箱であり、詳しくは図２（ａ）に示すように形成されている。すなわち、一枚のほぼ四角形の段ボールシートの中央部にほぼ四角形の面板部２ａを有し、前記面板部２ａの外周に連なる４つの垂直壁２ｂおよびコーナー片２ｃと、前記垂直壁２ｂの外縁に連なる４つのフラップ押え板２ｄを有している。そして、前記フラップ押え板２ｄには、スリット２ｅを形成している。また、前記４つの垂直壁２ｂおよびコーナー片２ｃ、フラップ押え板２ｄを折り曲げできるように折り罫線２ｆおよび抜き溝２ｇを有している。
【００１５】
なお、図示していないが、抜き溝２ｇおよび罫線２ｆは複数個設けられ、折り曲げ位置を変更して垂直壁２ｂおよびフラップ１ａ長さ寸法を調節可能にしている。
【００１６】
前記の上部包装箱１と下部包装箱２は、以下のようにして結合される。すなわち、図１（ａ）のように下部包装箱２の面板部２ａに緩衝材（図示せず）を置き、さらに電子機器および上部の緩衝材（いずれも図示せず）を載せる。一方、下部包装箱２は、図２（ａ）のように展開しておく。そして、上部包装箱１の下側の４つのフラップ１ａを水平にした状態でそれぞれ下部包装箱２の各垂直壁２ｂの面に密着させる。さらに、図２（ｂ）のように下部包装箱２のフラップ押え２ｄを内側に向かって折り曲げ、前記上部包装箱１の下側の４つのフラップ１ａを巻き込む。このフラップ１ａを巻き込んだ状態の垂直壁２ｂとフラップ押え２ｄを図２（ｃ）のように垂直に立て、つぎに図２（ｄ）のように４つコーナー片２ｃを立て、その端部を図２（ｅ）のように垂直壁２ｂのスリット２ｅに挿入することにより、図１（ｂ）のように上部包装箱１と下部包装箱２の結合が行われ、包装が完了する。なお、図２（ｂ）〜（ｅ）では、組立てを明瞭にするために上部包装箱１は省略している。
【００１７】
この実施の形態１の構成により、上部包装箱と下部包装箱を結合する包装装置における包装部品点数が少なくなって包装費用を安価にすることができ、しかも、その結合作業も簡単にできる。また、輸送・保管時に被包装体を十分に保護し、特にプラスチック製の結合部材を用いないことから、リサイクル可能な包装装置とすることができ、かつ、輸送後に開梱したあとではリサイクルされて別の包装用段ボールとして使用することが可能である。さらに非包装時には上部包装箱と下部包装箱を組立て前の状態、すなわほち嵩張らないようにすることが可能で、保管スペースの点でも有利である。
【００１８】
また、前記構成において、上部包装箱１の下側のフラップ１ａは、下部包装箱２のフラップ押えいた２ｄによって外側より巻き込まれることから、結合部材を使用する従来の包装形態に比較して、部分的な応力集中による破れや、荷重による下端の外側への広がりによる変形が少ないので、積み上げによる耐荷重が大きく、下部のコーナーや稜への衝撃に対しても大きな強度を有する。
【００１９】
さらに、下部包装箱２の垂直壁２ｂおよび上部包装箱１のフラップ１ａは、抜き溝および罫線によって折り曲げ位置を変更してその長さ寸法を調節可能であり、被包装体の重量や大きさに応じても適切な包装箱にすることができる。
【００２０】
（実施の形態２）
図３（ａ）は、本発明の実施の形態２の包装装置の分解斜視図であり、図３（ｂ）は本発明の包装完了体の斜視図、図４（ａ）〜（ｅ）は、前記包装装置における下部包装箱の組立て説明図である。
【００２１】
この実施の形態２は、下部包装箱２におけるコーナー片２ｃの形状を変形させたものであり、そして、その端部を垂直壁２ｂとフラップ押え板２ｄ間の罫線部に形成したスリット２ｈに挿入する構成としている。なお、組立て工程は前記実施の形態１と同様であるので、その説明を省略する。
【００２２】
この実施の形態２も、前記実施の形態１と同様な作用と効果を有する。
（実施の形態３）
図５（ａ）〜（ｅ）は、本発明の実施の形態３の包装装置における下部包装箱の組立て説明図、図６は、同包装装置の斜視図である。
【００２３】
この実施の形態３の包装装置は、コーナー片２ｃの止め構造に特徴をもち、その他は実施の形態１と同様となっている。
【００２４】
すなわち、前記コーナー片２ｃを内折りし、その端部で、上部包装箱のフラップを巻き込んだ垂直壁２ｂとフラップ押え板２ｄを抱き込んで上部包装箱と下部包装箱を結合した構成としている。
【００２５】
この実施の形態３も、前記実施の形態１と同様な作用と効果を有する。
なお、この実施の形態３においては、垂直壁２ｂにはコーナー片２ｃを差し込むためのスリットは形成されない。
【００２６】
【発明の効果】
以上の説明より明らかなように、本発明の包装装置は、段ボールシートの折り曲げ、差し込みによって上下包装箱の結合を実現でき、従来より上下包装箱の結合時に必要なプラスチック製のバンドや結合部材等を一切使用しないので、部品点数が少なく、包装コストを安くすることができる。また、上記のようにプラスチック製のバンドや結合部材等を使用しないので、使用後の処理に手間と費用がかからず、しかも包装箱は段ボールシートよりなることから、回収後にリサイクルできるという大きな効果が得られる。
【図面の簡単な説明】
【図１】（ａ）本発明の実施の形態１の包装装置の分解斜視図
（ｂ）本発明の包装装置の包装完了体の斜視図
【図２】（ａ）〜（ｅ）本発明の包装装置における下部包装箱の組立て説明図
【図３】（ａ）本発明の実施の形態２の包装装置の分解斜視図
（ｂ）本発明の包装装置の包装完了体の斜視図
【図４】（ａ）〜（ｅ）本発明の包装装置における下部包装箱の組立て説明図
【図５】（ａ）〜（ｅ）本発明の実施の形態３の包装装置における下部包装箱の組立て説明図
【図６】本発明の包装装置の斜視図
【図７】（ａ）従来の包装装置の分解斜視図
（ｂ）従来の包装装置の包装完了体の斜視図
【符号の説明】
１  上部包装箱
１ａ  フラップ
２  下部包装箱
２ａ  面板部
２ｂ  垂直壁
２ｃ  コーナー片
２ｄ  フラップ押え板
２ｅ  スリット
２ｆ  折り罫線
２ｇ  抜き溝
２ｈ  スリット
【図１】
0004238387.tif 000002
【図２】
0004238387.tif 000003
【図３】
0004238387.tif 000004
【図４】
0004238387.tif 000005
【図５】
0004238387.tif 000006
【図６】
0004238387.tif 000007
【図７】
0004238387.tif 000008